(57)【要約】【課題】  連続する２つのフレーム間において、映像の輝度の急変を抑制することを可能とする映像表示装置を提供する。【解決手段】  投写型映像表示装置１００は、光源ユニット１０から出射される光の発光期間を制御する光源制御部２４０を備える。光源制御部２４０は、白発光期間Ｗを設定する輝度向上処理を実行する。光源制御部２４０は、連続するフレーム間において、輝度向上処理に伴う輝度向上効果の減少量が閾値を超えている場合に、輝度向上処理によって設定される白発光期間Ｗを延長する。【選択図】  図２
2013120384.tif 000002
【特許請求の範囲】
【請求項１】
赤成分光Ｒ、緑成分光Ｇ及び青成分光Ｂを出射する光源と、赤入力信号に基づいて、赤成分光Ｒを変調し、緑入力信号に基づいて、緑成分光Ｇを変調し、青入力信号に基づいて、青成分光Ｂを変調する光変調素子とを備えた映像表示装置であって、
前記光源から出射される光の発光期間を制御する光源制御部を備え、
前記光源制御部は、前記赤入力信号、前記緑入力信号及び前記青入力信号に基づいて、前記赤成分光Ｒ、前記緑成分光Ｇ及び前記青成分光Ｂの全てが出射される白発光期間Ｗを設定する輝度向上処理を実行し、
前記光源制御部は、連続するフレーム間において、前記輝度向上処理に伴う輝度向上効果の減少量が閾値を超えている場合に、前記輝度向上処理によって設定される前記白発光期間Ｗを延長することを特徴とする映像表示装置。
【請求項２】
１つのフレームは、前記赤成分光Ｒ、前記緑成分光Ｇ及び前記青成分光Ｂのいずれもが出射されない光量測定期間ＢＬを有しており、
前記光源制御部は、連続するフレーム間において、前記輝度向上処理に伴う輝度向上効果の減少量が閾値を超えている場合に、前記光量測定期間ＢＬを減少して、前記輝度向上処理によって設定される前記白発光期間Ｗを延長することを特徴とする請求項１に記載の映像表示装置。
【請求項３】
１つのサブフレームは、前記赤成分光Ｒ及び前記緑成分光Ｇが出射される黄出射期間Ｙｅと、前記緑成分光Ｇ及び前記青成分光Ｂが出射されるシアン出射期間Ｃｙと、前記赤成分光Ｒ及び前記青成分光Ｂが出射されるマゼンタ出射期間Ｍｇとを含み、
前記黄出射期間Ｙｅ、前記シアン出射期間Ｃｙ及びマゼンタ出射期間Ｍｇには、最小期間が設定されており、
前記光源制御部は、前記輝度向上処理において、前記最小期間を下回らないように、前記黄出射期間Ｙｅ、前記シアン出射期間Ｃｙ及びマゼンタ出射期間Ｍｇを設定することを特徴とする請求項１に記載の映像表示装置。
【請求項４】
１つのサブフレームは、前記赤成分光Ｒが出射される赤出射期間Ｒと、前記緑成分光Ｇが出射される緑出射期間Ｇと、前記青成分光Ｂが出射される青出射期間Ｂとを含み、
前記赤出射期間Ｒ、前記緑出射期間Ｇ及び青出射期間Ｂには、最小期間が設定されており、
前記光源制御部は、前記輝度向上処理において、前記最小期間を下回らないように、前記赤出射期間Ｒ、前記緑出射期間Ｇ及び青出射期間Ｂを設定することを特徴とする請求項１に記載の映像表示装置。
【発明の詳細な説明】
【技術分野】
【０００１】
本発明は、光源から出射される光の発光期間を制御する光源制御部を備える映像表示装置に関する。
【背景技術】
【０００２】
従来、映像入力信号に応じて、１フレーム期間内において光源から出射される複数色の色成分光の発光期間を調整する映像表示装置が知られている。
【０００３】
また、光源から光が出射される期間（以下、発光期間）を動的に制御することによって、映像の高輝度化を図る映像表示装置も提案されている。具体的には、赤成分光Ｒ、緑成分光Ｇ及び青成分光Ｂが出射される期間に加えて、白成分光Ｗが出射される期間を設けることによって、映像の高輝度化が図られている（例えば、特許文献１）。白成分光Ｗが出射される期間においては、赤成分光Ｒ、緑成分光Ｇ及び青成分光Ｂの全てが出射される。
【先行技術文献】
【特許文献】
【０００４】
【特許文献１】特開２００６−３１００５号公報
【発明の概要】
【発明が解決しようとする課題】
【０００５】
上述した技術では、白成分光Ｗが出射される期間を設けることによって、映像の高輝度化が図られている。しかしながら、連続する２つのフレーム間において、白成分光Ｗが出射される期間によって得られる輝度向上効果が著しく異なるケースが存在する。このようなケースにおいて、連続する２つのフレーム間において、映像の輝度が急変してしまい、ユーザに違和感を与えてしまう。
【０００６】
そこで、本発明は、上述した課題を解決するためになされたものであり、連続する２つのフレーム間において、映像の輝度の急変を抑制することを可能とする映像表示装置を提供することを目的とする。
【課題を解決するための手段】
【０００７】
第１の特徴に係る映像表示装置（投写型映像表示装置１００）は、赤成分光Ｒ、緑成分光Ｇ及び青成分光Ｂを出射する光源（光源ユニット１０）と、赤入力信号に基づいて、赤成分光Ｒを変調し、緑入力信号に基づいて、緑成分光Ｇを変調し、青入力信号に基づいて、青成分光Ｂを変調する光変調素子（ＤＭＤ５０）とを備える。映像表示装置は、前記光源から出射される光の発光期間を制御する光源制御部（光源制御部２４０）を備える。前記光源制御部は、前記赤入力信号、前記緑入力信号及び前記青入力信号に基づいて、前記赤成分光Ｒ、前記緑成分光Ｇ及び前記青成分光Ｂの全てが出射される白発光期間Ｗを設定する輝度向上処理を実行する。前記光源制御部は、連続するフレーム間において、前記輝度向上処理に伴う輝度向上効果の減少量が閾値を超えている場合に、前記輝度向上処理によって設定される前記白発光期間Ｗを延長する。
【０００８】
第１の特徴において、１つのフレームは、前記赤成分光Ｒ、前記緑成分光Ｇ及び前記青成分光Ｂのいずれもが出射されない光量測定期間ＢＬを有する。前記光源制御部は、連続するフレーム間において、前記輝度向上処理に伴う輝度向上効果の減少量が閾値を超えている場合に、前記光量測定期間ＢＬを減少して、前記輝度向上処理によって設定される前記白発光期間Ｗを延長する。
【０００９】
第１の特徴において、１つのサブフレームは、前記赤成分光Ｒ及び前記緑成分光Ｇが出射される黄出射期間Ｙｅと、前記緑成分光Ｇ及び前記青成分光Ｂが出射されるシアン出射期間Ｃｙと、前記赤成分光Ｒ及び前記青成分光Ｂが出射されるマゼンタ出射期間Ｍｇとを含む。前記黄出射期間Ｙｅ、前記シアン出射期間Ｃｙ及びマゼンタ出射期間Ｍｇには、最小期間が設定されている。前記光源制御部は、前記輝度向上処理において、前記最小期間を下回らないように、前記黄出射期間Ｙｅ、前記シアン出射期間Ｃｙ及びマゼンタ出射期間Ｍｇを設定する。
【００１０】
第１の特徴において、１つのサブフレームは、前記赤成分光Ｒが出射される赤出射期間Ｒと、前記緑成分光Ｇが出射される緑出射期間Ｇと、前記青成分光Ｂが出射される青出射期間Ｂとを含む。前記赤出射期間Ｒ、前記緑出射期間Ｇ及び青出射期間Ｂには、最小期間が設定されている。前記光源制御部は、前記輝度向上処理において、前記最小期間を下回らないように、前記赤出射期間Ｒ、前記緑出射期間Ｇ及び青出射期間Ｂを設定する。
【発明の効果】
【００１１】
本発明によれば、連続する２つのフレーム間において、映像の輝度の急変を抑制することを可能とする映像表示装置を提供することができる。
【図面の簡単な説明】
【００１２】
【図１】図１は、第１実施形態に係る投写型映像表示装置１００を示す図である。
【図２】図２は、第１実施形態に係る制御ユニット２００を示すブロック図である。
【図３】図３は、第１実施形態に係る輝度向上処理を説明するための図である。
【図４】図４は、第１実施形態に係る輝度向上処理を説明するための図である。
【図５】図５は、第１実施形態に係る輝度向上処理を説明するための図である。
【図６】図６は、第１実施形態に係る輝度向上処理を説明するための図である。
【図７】図７は、第１実施形態に係る輝度向上処理を説明するための図である。
【図８】図８は、第１実施形態に係る制御例１を説明するための図である。
【図９】図９は、第１実施形態に係る制御例２を説明するための図である。
【図１０】図１０は、変更例１に係る輝度向上処理を説明するための図である。
【図１１】図１１は、変更例２に係る輝度向上処理を説明するための図である。
【図１２】図１２は、変更例３に係る時定数処理を説明するための図である。
【図１３】図１３は、変更例３に係る時定数処理を説明するための図である。
【発明を実施するための形態】
【００１３】
以下において、本発明の実施形態に係る映像表示装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［実施形態の概要］
実施形態に係る映像表示装置は、赤成分光Ｒ、緑成分光Ｇ及び青成分光Ｂを出射する光源と、赤入力信号に基づいて、赤成分光Ｒを変調し、緑入力信号に基づいて、緑成分光Ｇを変調し、青入力信号に基づいて、青成分光Ｂを変調する光変調素子とを備える。映像表示装置は、前記光源から出射される光の発光期間を制御する光源制御部を備える。前記光源制御部は、前記赤入力信号、前記緑入力信号及び前記青入力信号に基づいて、前記赤成分光Ｒ、前記緑成分光Ｇ及び前記青成分光Ｂの全てが出射される白発光期間Ｗを設定する輝度向上処理を実行する。前記光源制御部は、連続するフレーム間において、前記輝度向上処理に伴う輝度向上効果の減少量が閾値を超えている場合に、前記輝度向上処理によって設定される前記白発光期間Ｗを延長する。
【００１６】
実施形態では、光源制御部は、連続するフレーム間において、輝度向上処理に伴う輝度向上効果の減少量が閾値を超えている場合に、輝度向上処理によって設定される白発光期間Ｗを延長する。従って、連続する２つのフレーム間において、映像の輝度の急変（急激な減少）が抑制される。
【００１７】
［第１実施形態］
（映像表示装置）
以下において、第１実施形態に係る映像表示装置について説明する。図１は、第１実施形態に係る投写型映像表示装置１００の構成を示す図である。第１実施形態では、映像表示装置として、投写型映像表示装置１００を例示する。しかしながら、映像表示装置は、フィールドシーケンシャル方式に対応する映像表示装置であればよい。
【００１８】
図１に示すように、投写型映像表示装置１００は、複数の光源ユニット１０と、ダイクロイックキューブ２０と、ロッドインテグレータ３０と、反射ミラー４０と、ＤＭＤ５０と、投写ユニット６０とを有する。
【００１９】
複数の光源ユニット１０は、光源ユニット１０Ｒ、光源ユニット１０Ｇ及び光源ユニット１０Ｂである。各光源ユニット１０は、複数の固体光源によって構成されたユニットである。固体光源は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）である。なお、光源ユニット１０Ｒは、赤成分光Ｒを発する複数の固体光源によって構成される。光源ユニット１０Ｇは、緑成分光Ｇを発する複数の固体光源によって構成される。光源ユニット１０Ｂは、青成分光Ｂを発する複数の固体光源によって構成される。
【００２０】
ダイクロイックキューブ２０は、光源ユニット１０Ｒ、光源ユニット１０Ｇ及び光源ユニット１０Ｂから出射される光を合成する色合成部を構成する。ダイクロイックキューブ２０から出射された合成光（映像光）は、ロッドインテグレータ３０に導かれる。
【００２１】
ロッドインテグレータ３０は、ガラスなどの透明部材によって構成される中実のロッドである。ロッドインテグレータ３０は、ダイクロイックキューブ２０から出射される光を均一化する。なお、ロッドインテグレータ３０は、内壁がミラー面によって構成される中空のロッドであってもよい。
【００２２】
反射ミラー４０は、ロッドインテグレータ３０から出射された光をＤＭＤ５０側に反射する。
【００２３】
ＤＭＤ５０は、光源ユニット１０から出射される光を変調する。詳細には、ＤＭＤ５０は、複数の微小ミラーによって構成されており、複数の微小ミラーは可動式である。各微小ミラーは、基本的に１画素に相当する。ＤＭＤ５０は、各微小ミラーの角度を変更することによって、投写ユニット６０側に光を反射するか否かを切り替える。
【００２４】
第１実施形態では、ＤＭＤ５０は、赤入力信号Ｒｉｎ（赤出力信号Ｒｏｕｔ）に基づいて赤成分光Ｒを変調する。ＤＭＤ５０は、緑入力信号Ｇｉｎ（緑出力信号Ｇｏｕｔ））に基づいて緑成分光Ｇを変調し、青入力信号Ｂｉｎ（青出力信号Ｂｏｕｔ）に基づいて青成分光Ｂを変調する。
【００２５】
投写ユニット６０は、ＤＭＤ５０によって変調された映像光を投写面上に投写する。
【００２６】
（制御ユニットの構成）
以下において、第１実施形態に係る制御ユニットについて、図面を参照しながら説明する。図２は、第１実施形態に係る制御ユニット２００を示すブロック図である。制御ユニット２００は、投写型映像表示装置１００に設けられており、投写型映像表示装置１００を制御する。
【００２７】
なお、制御ユニット２００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する画素毎に入力される信号である。なお、各画素は、赤のサブピクセル、緑のサブピクセル及び青のサブピクセルによって構成される。
【００２８】
なお、映像出力信号及び映像出力信号の下限値は、例えば、“０”であり、映像出力信号及び映像出力信号の上限値は、例えば、“２５５”である。
【００２９】
図２に示すように、制御ユニット２００は、映像信号受付部２１０と、判定部２２０と、素子制御部２３０と、光源制御部２４０とを有する。
【００３０】
映像信号受付部２１０は、パーソナルコンピュータ、ＤＶＤやＴＶチューナなどの外部装置（不図示）から映像入力信号を受付ける。
【００３１】
判定部２２０は、連続するフレーム間において、輝度向上処理に伴う輝度向上効果の減少量が閾値を超えているか否かを判定する。輝度向上処理は、赤入力信号Ｒｉｎ、緑入力信号Ｇｉｎ及び青入力信号Ｂｉｎに基づいて、白発光期間Ｗを設定する処理である。白発光期間Ｗにおいては、赤成分光Ｒ、緑成分光Ｇ及び青成分光Ｂの全てが出射される。輝度向上処理の詳細については後述する。
【００３２】
素子制御部２３０は、映像入力信号を映像出力信号に変換して、映像出力信号に基づいて、ＤＭＤ５０を制御する。具体的には、素子制御部２３０は、赤出力信号Ｒｏｕｔに基づいて、ＤＭＤ５０を制御する。同様に、素子制御部２３０は、緑出力信号Ｇｏｕｔに基づいて、ＤＭＤ５０を制御し、青出力信号Ｂｏｕｔに基づいて、ＤＭＤ５０を制御する。
【００３３】
光源制御部２４０は、光源ユニット１０を制御する。具体的には、光源制御部２４０は、赤入力信号Ｒｉｎ、緑入力信号Ｇｉｎ及び青入力信号Ｂｉｎに基づいて、各ＤＭＤ５０から光が出射される期間を制御する。詳細には、光源制御部２４０は、各光源ユニット１０（光源ユニット１０Ｒ、光源ユニット１０Ｇ及び光源ユニット１０Ｂ）から光が出射される期間を制御する。
【００３４】
第１実施形態において、光源制御部２４０は、赤入力信号、緑入力信号及び青入力信号に基づいて、赤成分光Ｒ、緑成分光Ｇ及び青成分光Ｂの全てが出射される白発光期間Ｗを設定する輝度向上処理を実行する。光源制御部２４０は、連続するフレーム間において、輝度向上処理に伴う輝度向上効果の減少量が閾値を超えている場合に、輝度向上処理によって設定される白発光期間Ｗを延長する。
【００３５】
（輝度向上処理）
以下において、第１実施形態に係る輝度向上処理について説明する。図３に示すように、１つのフレームは、基本的には、赤出射期間Ｒ、緑出射期間Ｇ、青出射期間Ｂ、白発光期間Ｗ及び光量測定期間ＢＬを有する。
【００３６】
赤出射期間Ｒは、赤成分光Ｒが出射される期間である。赤出射期間Ｒの長さが長いほど、赤成分光Ｒによって表現される赤色の階調の数が多いことに留意すべきである。緑出射期間Ｇは、緑成分光Ｇが出射される期間である。緑出射期間Ｇの長さが長いほど、緑成分光Ｇによって表現される緑色の階調の数が多いことに留意すべきである。青出射期間Ｂは、青成分光Ｂが出射される期間である。青出射期間Ｂの長さが長いほど、青成分光Ｂによって表現される青色の階調の数が多いことに留意すべきである。
【００３７】
白発光期間Ｗは、赤成分光Ｒ、緑成分光Ｇ及び青成分光Ｂの全てが出射される期間である。光量測定期間ＢＬは、赤成分光Ｒ、緑成分光Ｇ及び青成分光Ｂのいずれもが出射されない期間である。光量測定期間ＢＬでは、光源ユニット１０から光が出射されなくてもよく、ＤＭＤ５０によって光が投写ユニット６０側に反射されなくてもよい。
【００３８】
なお、光量測定期間ＢＬは、光源ユニット１０を構成する固体光源の劣化を測定するために用いられる。例えば、光量測定期間ＢＬにおいて、光源ユニット１０を構成する１つの固体光源から出射される光を検出して、検出された光の光量と閾値とを比較して、１つの固体光源の劣化度合いが測定される。
【００３９】
このようなケースにおいて、光源制御部２４０は、輝度向上処理において、赤成分光Ｒ、緑成分光Ｇ及び青成分光Ｂを白成分光Ｗによって代替可能な期間を白発光期間Ｗとして設定する。
【００４０】
詳細には、光源制御部２４０は、以下の式に従って、各画素を構成する映像入力信号（Ｒｉｎ，Ｇｉｎ，Ｂｉｎ）を中間信号（Ｒｉｎ’，Ｇｉｎ’，Ｂｉｎ’，Ｗ’）に変換する。
【００４１】
［数１］
Ｗ’＝ＭＩＮ（Ｒｉｎ，Ｇｉｎ，Ｂｉｎ）
Ｒｉｎ’＝Ｒｉｎ−ＭＩＮ（Ｒｉｎ，Ｇｉｎ，Ｂｉｎ）
Ｇｉｎ’＝Ｇｉｎ−ＭＩＮ（Ｒｉｎ，Ｇｉｎ，Ｂｉｎ）
Ｂｉｎ’＝Ｂｉｎ−ＭＩＮ（Ｒｉｎ，Ｇｉｎ，Ｂｉｎ）
光源制御部２４０は、１フレームを構成する各画素が有する中間信号Ｗ’の代表値に基づいて、白発光期間Ｗを設定する。代表値としては、例えば、階調つぶれを抑制するために最小値を用いることが好ましい。或いは、１フレームを構成する各画素が有する中間信号Ｗ’のヒストグラムに基づいて代表値が設定されてもよい。
【００４２】
例えば、図４に示すように、映像入力信号（Ｒｉｎ，Ｇｉｎ，Ｂｉｎ）が（２５５，２２０，１９０）であるケースについて考える。このようなケースでは、図５に示すように、中間信号（Ｒｉｎ’，Ｇｉｎ’，Ｂｉｎ’，Ｗ’）は、（６５，３０，０，１９０）である。すなわち、中間信号（Ｗ’＝１９０）に対応する階調については、赤成分光Ｒ、緑成分光Ｇ及び青成分光Ｂの全てを含む白成分光Ｗによって表現される。
【００４３】
続いて、光源制御部２４０は、図５に示す各発光期間の比率を維持しながら、非発光期間を各発光期間に分配する。具体的には、光源制御部２４０は、図６に示すように、赤出射期間Ｒ、緑出射期間Ｇ及び白発光期間Ｗを延長する。このケースでは、輝度向上処理によって、１０２０／２８５倍の輝度向上効果が得られる。
【００４４】
図４〜図６に示すように、光源制御部２４０は、輝度向上処理において、白成分光Ｗを設定するとともに、白発光期間Ｗの設定によって生じる非発光期間を各発光期間に分配する。これによって、輝度向上効果が得られる。
【００４５】
（輝度向上処理の課題）
以下において、第１実施形態に係る輝度向上処理の課題について説明する。図７は、第１実施形態に係る輝度向上処理の課題を説明するための図である。
【００４６】
以下においては、フレーム＃Ｎにおいて、白色の背景のみによって構成される映像が表示され、フレーム＃Ｎ＋１において、白色の背景に赤色の丸を含む映像が表示されるケースについて例示する。
【００４７】
図７に示すように、上述した輝度向上処理の結果、フレーム＃Ｎにおいて、白発光期間Ｗは、１フレームの７８％であり、光量測定期間ＢＬは、１フレームの２２％であるものとする。一方で、上述した輝度向上処理の結果、フレーム＃Ｎ＋１において、白発光期間Ｗは、１フレームの３９％であり、赤出射期間Ｒは、１フレームの３９％であり、光量測定期間ＢＬは、１フレームの２２％であるものとする。
【００４８】
このようなケースにおいては、フレーム＃Ｎ＋１における白色の背景の輝度は、フレーム＃１における白色の背景の輝度よりも著しく減少する。
【００４９】
（制御例１）
以下において、第１実施形態に係る制御例１について説明する。光源制御部２４０は、制御例１において、連続するフレーム間において、輝度向上処理に伴う輝度向上効果の減少量が閾値を超えている場合に、光量測定期間ＢＬを減少して、輝度向上処理によって設定される白発光期間Ｗを延長する。
【００５０】
例えば、図８に示すように、光源制御部２４０は、フレーム＃Ｎ＋１において、１フレームの５０％を白発光期間Ｗとして設定し、１フレームの５０％を赤出射期間Ｒとして設定する。言い換えると、図７に示すフレーム＃Ｎ＋１で設定される白発光期間Ｗ、すなわち、輝度向上処理で設定される白発光期間Ｗ（３９％）に比べて、図８に示すフレーム＃Ｎ＋１では、白発光期間Ｗ（５０％）が延長されている。
【００５１】
ここで、光源制御部２４０は、制御例１において、輝度向上処理で設定される各発光期間（白発光期間Ｗ及び赤出射期間Ｒ）の比率を維持することが好ましい。
【００５２】
これによって、フレーム＃Ｎ＋１において、光源ユニット１０を構成する固体光源の劣化を測定することができないが、赤色及び白色の輝度の低下が抑制される。
【００５３】
但し、光源制御部２４０は、連続するフレーム間において、輝度向上処理に伴う輝度向上効果の減少量が閾値を超えていない場合には、上述した輝度向上処理（図４〜図６を参照）を行うことに留意すべきである。
【００５４】
（制御例２）
以下において、第１実施形態に係る制御例２について説明する。光源制御部２４０は、制御例２において、連続するフレーム間において、輝度向上処理に伴う輝度向上効果の減少量が閾値を超えている場合に、赤出射期間Ｒ、緑出射期間Ｇ又は青出射期間Ｂを減少して、輝度向上処理によって設定される白発光期間Ｗを延長する。
【００５５】
例えば、図９に示すように、光源制御部２４０は、フレーム＃Ｎ＋１において、１フレームの５０％を白発光期間Ｗとして設定し、１フレームの２８％を赤出射期間Ｒとして設定する。言い換えると、図７に示すフレーム＃Ｎ＋１で設定される白発光期間Ｗ、すなわち、輝度向上処理で設定される白発光期間Ｗ（３９％）に比べて、図９に示すフレーム＃Ｎ＋１では、白発光期間Ｗ（５０％）が延長されている。なお、制御例２では、光量測定期間ＢＬは維持されている。
【００５６】
これによって、フレーム＃Ｎ＋１において、赤色の輝度が低下するが、白色の輝度の低下が抑制される。
【００５７】
但し、光源制御部２４０は、連続するフレーム間において、輝度向上処理に伴う輝度向上効果の減少量が閾値を超えていない場合には、上述した輝度向上処理（図４〜図６を参照）を行うことに留意すべきである。
【００５８】
（作用及び効果）
第１実施形態では、光源制御部２４０は、連続するフレーム間において、輝度向上処理に伴う輝度向上効果の減少量が閾値を超えている場合に、輝度向上処理によって設定される白発光期間Ｗを延長する。従って、連続する２つのフレーム間において、映像の輝度の急変（急激な減少）が抑制される。
【００５９】
［変更例１］
以下において、第１実施形態の変更例１について説明する。以下においては、第１実施形態に対する相違点について主として説明する。
【００６０】
変更例１では、１つのサブフレームは、赤成分光Ｒ及び緑成分光Ｇが出射される黄出射期間Ｙｅと、緑成分光Ｇ及び青成分光Ｂが出射されるシアン出射期間Ｃｙと、赤成分光Ｒ及び青成分光Ｂが出射されるマゼンタ出射期間Ｍｇとを含む。黄出射期間Ｙｅ、シアン出射期間Ｃｙ及びマゼンタ出射期間Ｍｇには、最小期間が設定されている。
【００６１】
光源制御部２４０は、輝度向上処理において、最小期間を下回らないように、黄出射期間Ｙｅ、シアン出射期間Ｃｙ及びマゼンタ出射期間Ｍｇを設定する。
【００６２】
例えば、図１０のフレーム＃Ｎに示すように、黄出射期間Ｙｅ、シアン出射期間Ｃｙ及びマゼンタ出射期間Ｍｇの合計期間の最小値として、１フレームの５％が設定されている。
【００６３】
なお、黄出射期間Ｙｅ、シアン出射期間Ｃｙ及びマゼンタ出射期間Ｍｇの最小期間が設定されていない場合には、フレーム＃Ｎが白色の背景のみによって構成される映像であるため、図７のフレーム＃Ｎに示すように、１フレームの７８％が白発光期間Ｗとして設定されることに留意すべきである。
【００６４】
ここで、フレーム＃Ｎ＋１が白色の背景に赤色の丸を含む映像であるため、赤出射期間Ｒを設定する必要がある。変更例１では、図１０に示すように、光源制御部２４０は、輝度向上処理において、赤出射期間Ｒだけではなくて、黄出射期間Ｙｅ及びマゼンタ出射期間Ｍｇを増大する。すなわち、光源制御部２４０は、黄出射期間Ｙｅ、シアン出射期間Ｃｙ及びマゼンタ出射期間Ｍｇのうち、赤成分光Ｒの補色光（シアン成分光）が出射される期間を除いた期間を増大する。
【００６５】
これによって、フレーム＃Ｎ＋１において、赤色の彩度が低下するが、赤色の輝度が向上する。また、白色の輝度の低下が抑制される。
【００６６】
ここで、変更例１においても、光源制御部２４０は、連続するフレーム間において、輝度向上処理に伴う輝度向上効果の減少量が閾値を超えている場合に、上述した制御例１又は制御例２を実行してもよい。
【００６７】
［変更例２］
以下において、第１実施形態の変更例２について説明する。以下においては、第１実施形態に対する相違点について主として説明する。
【００６８】
変更例２では、１つのサブフレームは、赤成分光Ｒが出射される赤出射期間Ｒと、緑成分光Ｇが出射される緑出射期間Ｇと、青成分光Ｂが出射される青出射期間Ｂとを含む。赤出射期間Ｒ、緑出射期間Ｇ及び青出射期間Ｂには、最小期間が設定されている。
【００６９】
光源制御部２４０は、輝度向上処理において、最小期間を下回らないように、赤出射期間Ｒ、緑出射期間Ｇ及び青出射期間Ｂを設定する。
【００７０】
例えば、図１１のフレーム＃Ｎに示すように、赤出射期間Ｒ、緑出射期間Ｇ及び青出射期間Ｂの合計期間の最小値として、１フレームの５％が設定されている。
【００７１】
なお、赤出射期間Ｒ、緑出射期間Ｇ及び青出射期間Ｂの最小期間が設定されていない場合には、フレーム＃Ｎが白色の背景のみによって構成される映像であるため、図７のフレーム＃Ｎに示すように、１フレームの７８％が白発光期間Ｗとして設定されることに留意すべきである。
【００７２】
ここで、フレーム＃Ｎ＋１が白色の背景に赤色の丸を含む映像であるため、赤出射期間Ｒを設定する必要がある。変更例２では、図１１に示すように、光源制御部２４０は、輝度向上処理において、赤出射期間Ｒを増大する。だけではなくて、黄出射期間Ｙｅ及びマゼンタ出射期間Ｍｇを増大する。すなわち、光源制御部２４０は、黄出射期間Ｙｅ、シアン出射期間Ｃｙ及びマゼンタ出射期間Ｍｇのうち、赤成分光Ｒの補色光（シアン成分光）が出射される期間を除いた期間を増大する。
【００７３】
これによって、フレーム＃Ｎ＋１において、赤色の輝度が低下するが、赤色の彩度の低下が抑制される。また、白色の輝度の低下がある程度抑制される。
【００７４】
ここで、変更例２においても、光源制御部２４０は、連続するフレーム間において、輝度向上処理に伴う輝度向上効果の減少量が閾値を超えている場合に、上述した制御例１又は制御例２を実行してもよい。
【００７５】
（変更例３）
以下において、第１実施形態の変更例３について説明する。以下においては、第１実施形態に対する相違点について主として説明する。
【００７６】
変更例３では、光源制御部２４０は、輝度の著しい減少を抑制するために、新たな発光期間を設定する場合に、時定数処理を行う。すなわち、光源制御部２４０は、新たな発光期間を段階的に増大する。
【００７７】
ここでは、図７に示すケース及び図８に示すケースについて例に挙げて、時定数処理について説明する。
【００７８】
図１２に示すように、図７に示すケースに時定数処理を適用すると、赤出射期間Ｒが段階的に増大して、最終的には、フレーム＃Ｎ＋３において、１フレームの３９％が赤出射期間Ｒとして設定される。
【００７９】
一方で、図１３に示すように、図８に示すケースに時定数処理を適用すると、赤出射期間Ｒが段階的に増大して、最終的には、フレーム＃Ｎ＋３において、１フレームの５０％が赤出射期間Ｒとして設定される。
【００８０】
ここで、光源制御部２４０は、連続するフレーム間において、輝度向上処理に伴う輝度向上効果の減少量が閾値を超えているケース（図８及び図１３に示すケース）では、一般的な輝度向上処理が実行されるケース（図７及び図１２に示すケース）に比べて、大きな時定数が用いられてもよい。
【００８１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【符号の説明】
【００８２】
１０…光源、２０…クロスダイクロイックミラー、３０…ロッドインテグレータ、４０…反射ミラー、５０…ＤＭＤ、６０…投写レンズユニット、１００…投写型映像表示装置、２００…制御ユニット、２１０…映像信号受付部、２２０…判定部、２３０…素子制御部、２４０…光源制御部
【図１】
2013120384.tif 000003
【図２】
2013120384.tif 000004
【図３】
2013120384.tif 000005
【図４】
2013120384.tif 000006
【図５】
2013120384.tif 000007
【図６】
2013120384.tif 000008
【図７】
2013120384.tif 000009
【図８】
2013120384.tif 000010
【図９】
2013120384.tif 000011
【図１０】
2013120384.tif 000012
【図１１】
2013120384.tif 000013
【図１２】
2013120384.tif 000014
【図１３】
2013120384.tif 000015